(57)【特許請求の範囲】
【請求項１】
種籾を温湯に浸して消毒する種籾の温湯消毒装置であって、内部に温湯を噴き上げる温湯噴き上げ部を設けた温湯タンクと、消毒する種籾を収容して温湯タンク内の温湯噴き上げ部に載せる多孔状の種籾容器とを備え、温湯噴き上げ部の周囲には上方から降ろす種籾容器を温湯噴き上げ部上の定位置に案内する案内部を設けて成り、温湯噴き上げ部および種籾容器は方形状であって、案内部は温湯噴き上げ部の四隅に対応して配置した起立体で構成されているとともに、四隅に配置した起立体には囲み枠を形成して成ることを特徴とする種籾の温湯消毒装置。
【請求項２】
種籾容器は、温湯タンクの上方を走行するクレーンにより吊持して温湯噴き上げ部上に降ろすように構成したことを特徴とする請求項１記載の種籾の温湯消毒装置。
【発明の詳細な説明】
【０００１】
【発明の属する技術分野】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病などの病原菌が主な例である）を殺菌、滅菌または除菌（以下、消毒という）する種籾の温湯消毒装置に関するものである。
【０００２】
【従来の技術】
種籾を所定温度の温湯に所定時間浸すことにより、種籾の表面に付着または籾殻と果皮との間に潜む病原菌を消毒する装置としては、特開２０００−３１６３２１号公報または特開２０００−３４２０１８号公報に記載されているものが知られている。また、種籾を収容した種籾容器を自走クレーンで吊り下げて温湯タンクに出し入れする種籾の温湯消毒装置は、特開平１１−３１８１１８号公報に記載されている。
【０００３】
【発明が解決しようとする課題】
前掲の特開２０００−３１６３２１号公報または特開２０００−３４２０１８号公報に記載されている種籾の消毒装置おいては、温湯タンクに張った温湯に種籾を単に浸すだけでなく、種籾に噴き上げる温湯を浴びせることにより、種籾の温湯消毒を確実にし、かつその効果の向上を図っているものである。すなわち、これら種籾の温湯消毒装置おいては、温湯タンク内に温湯噴き上げ部を設けてあり、種籾の温湯消毒にあたっては、種籾を収容した種籾容器を温湯噴き上げ部上に降ろして定位置に載せなければならないが、温湯タンク内には温湯が張られているので、その揺れに伴う複雑な光屈折作用や湯気が立ちこめるなどのために、温湯タンクの上から種籾容器を温湯噴き上げ部上の定位置に降ろしにくいのが実情である。特に、特開平１１−３１８１１８号公報に示すように、種籾容器の上げ下ろしに走行クレーンを用いるものにあっては、温湯噴き上げ部に対する種籾容器の位置合わせがいっそう困難である。
【０００４】
そこで、本発明は、温湯噴き上げ部の周囲に、上方から降ろす種籾容器を温湯噴き上げ部上の定位置に案内する案内部を設けたことにより、温湯タンク内の温湯噴き出し部に種籾容器を載せる際には、温湯噴き出し部に対する種籾容器の位置合わせを概略的に行うだけで、温湯噴き出し部上の定位置に種籾容器を載せることができ、特に種籾容器の上げ下ろしに走行クレーンを用いる場合に、温湯噴き上げ部に対する種籾容器の載置操作を容易かつ的確にできる種籾の温湯消毒装置を提供することを目的とする。
【０００５】
【課題を解決するための手段】
上記目的を達成するため、本発明は次の種籾の温湯消毒装置を提供する。すなわち、請求項１に係るものは、種籾を温湯に浸して消毒する種籾の温湯消毒装置であって、内部に温湯を噴き上げる温湯噴き上げ部を設けた温湯タンクと、消毒する種籾を収容して温湯タンク内の温湯噴き上げ部に載せる多孔状の種籾容器とを備え、温湯噴き上げ部の周囲には上方から降ろす種籾容器を温湯噴き上げ部上の定位置に案内する案内部を設けて成り、温湯噴き上げ部および種籾容器は方形状であって、案内部は温湯噴き上げ部の四隅に対応して配置した起立体で構成されているとともに、四隅に配置した起立体には囲み枠を形成して成ることを特徴とするものである。
【０００６】
請求項２に係る種籾の温湯消毒装置は、請求項１の構成において、種籾容器は、温湯タンクの上方を走行するクレーンにより吊持して温湯噴き上げ部上に降ろすように構成したことを特徴とするものである。
【０００７】
【発明の実施の形態】
図１は本発明の一実施の形態に係る種籾の温湯消毒装置の一部を破断して示す斜視図、図２は同上縦断側面図、図３は同上平面図、図４は図１に示す種籾の温湯消毒装置による種籾の消毒システムを例示する斜視図である。
【０００８】
１は本発明に係る種籾の温湯消毒装置である。この種籾の温湯消毒装置１は、温湯タンク２、給湯制御装置３を備えており、４は温湯循環口である。温湯タンク２内には、多孔状のスノコ５が底面との間に一定の高さを成すように配置されており、温湯タンク２内の底面とスノコ５との間が温湯流下室６を成し、スノコ５の上が温湯貯留室７を成している。温湯タンク２の温湯貯留室７には、上面に多数の温湯噴出孔８をあけた温湯噴き上げ容器９を配置して温湯噴き上げ部１０を形成している。温湯噴き上げ容器９は方形状である。温湯タンク２は、二重壁構造であってその中空部には断熱材を充填し、保温性を向上させてある。
【０００９】
給湯制御装置３は、２台の給湯器１１を内蔵しており、この各給湯器１１はそれぞれ電気ヒータ（図示せず）を備えている。上記各給湯器１１の温湯送出口１２と前記温湯噴き上げ部１０の温湯噴き上げ容器９は温湯送出管１３により接続され、各給湯器１１の下部はモータポンプ１４の送出側に温湯戻し管１５により接続されており、さらにモータポンプ１４の吸入側は温湯吸入管１６により温湯タンク２の温湯流下室６に連通させてある。そして、この構成によって、モータポンプ１４により温湯タンク２の温湯流下室６から吸入された温湯は給湯器１１において、予め設定した所定の温湯消毒温度の温湯が給湯されるように加熱制御されたうえ、温湯噴き上げ部１０の温湯噴き上げ容器９に加圧給湯されて、温湯噴き上げ容器９の上面から噴射され、噴射された温湯は温湯貯留室７からスノコ５を通して温湯流下室６に流下する経路で繰り返し循環されることになる。給湯制御装置３による上記の温度制御は、少なくとも温湯消毒の所要時間中持続させる。
【００１０】
給湯制御装置３は、その上部に温湯制御器１７を内蔵しており、この温湯制御器１７により各給湯器１１の電気ヒータへの通電を制御して、温湯噴き上げ部１０の温湯噴き上げ容器９に給湯される温湯の温度を所定の温容消毒温度に保つように成っている。温湯制御器１７には、その上面にタイマーを始動するスタートボタン１８とリセットボタン１９が設けられている。温湯タンク２には、給湯制御装置３の設置側以外の適宜側面に移動配置可能な操作器２０が備えられており、そのスタートボタン２１とリセットボタン２２は、温湯制御器１７のスタートボタン１８とリセットボタン１９とそれぞれ連動しているので、温湯制御器１７を離れてもタイマー始動操作と停止操作が可能である。
【００１１】
本発明に係る種籾の消毒装置においては、温湯タンク２の温湯貯留部７に所定の温湯消毒温度より高い温度の温度調整温湯を供給する補助給湯装置であるガス給湯器２３を設けてある。ガス給湯器２３から導かれた給湯管２４は温湯タンク２の温湯貯留室７に給湯する位置で開口していて、その給湯管２４の途中には手動式バルブ２５を備えている。また、給湯管２４の手動式バルブ２５より給湯源側部位には分岐管２６が接続されており、その分岐管２６の途中には電磁弁２７が備えられている。したがって、ガス給湯器２３から温度調整温湯を温湯タンク２の温湯貯留室７に給湯する際には、電磁弁２７を閉じた状態で手動式バルブ２５を開いて給湯するか、手動式バルブ２５を閉じた状態で電磁弁２７を開いて分岐管２６から給湯する２態様を選択することができる。ガス給湯器２３はガスボンベ２８からガスが供給されるように成っている。２９は給水管、３０は排気管である。
【００１２】
３１は種籾容器である。この種籾容器３１は方形状であって、上面が開放状で底面および側面が多孔状を成しているが、少なくとも底面は多孔状であることが必要である。３２は吊りアームである。消毒する種籾は、種籾容器３１に直に収容するか、必要に応じて網袋（図示せず）に十分余裕をもたせて収納したうえ種籾容器３１に収容する。
【００１３】
温湯タンク２内の温湯噴き上げ部１０には、その周囲に上方から降ろす種籾容器３１を温湯噴き上げ部１０の温湯噴き上げ容器９上の定位置に案内する案内部３３を設けてある。この案内部３３は、種籾容器３１の周面に接するように温湯噴き上げ部１０を成す温湯噴き上げ容器９の四隅に対応して配置した４つの起立体３４で成り、起立体３４の上端は外方に開いた誘導部３５を成している。案内部３３は、四隅に配置した起立体３４に囲み枠３６を形成して成るものである。
【００１４】
３７は走行クレーンである。この走行クレーン３７のガイドレール３８は種籾の温湯消毒装置１を構成する温湯タンク２の上方に懸かっていて、走行クレーン３７の自走体３９の吊り下げフック４０に前記種籾容器３１を掛けて温湯タンク２上に移動させたうえ、種籾容器３１を温湯噴き上げ部１０の温湯噴き上げ容器９上の定位置に降ろし、また吊り上げて温湯タンク２の上方から他の位置に移動させることができるように成っている。
【００１５】
本発明に係る種籾の温湯消毒装置１においては、前記のように、その温湯タンク２内の温湯噴き上げ部１０に種籾容器３１を定位置に案内する案内部３３が設けられており、それを構成する起立体３４の上端は外方に開いた誘導部３５を成しているので、走行クレーン３７により吊り下げて温湯タンク２の上に移動させた種籾容器３１を温湯噴き上げ部１０上に概略的な位置合わせをするだけで、種籾容器３１を温湯噴き上げ部１０の温湯噴き上げ容器９上の定位置に載置することができる。
【００１６】
本発明に係る種籾の温湯消毒装置１による種籾の温湯消毒システムとしては、その一例として図４に示す態様がある。すなわち、図４に示す種籾の温湯消毒システムは、本発明に係る種籾の温湯消毒装置１に、種籾の冷却槽４１を並設し、さらに種籾容器３１を置く作業スペース４２を設けたものである。そして、これらは走行クレーン３７のガイドレール３８の方向に一連に配置されている。
【００１７】
図４に示す種籾の温湯消毒システムにおいて、種籾の消毒を行うには、作業スペース４２で種籾容器３１に種籾を収容し、その種籾容器３１を走行クレーン３７の自走体３９に吊り下げて、温湯タンク２の上まで移動させる。そして、その種籾容器３１を温湯噴き上げ部１０に対して概略的に位置合わせをして、種籾容器３１を降ろせば、種籾容器３１は案内部３３の案内体３４に案内されて、温湯噴き上げ部１０を構成する温湯噴き上げ容器９上の定位置に載置することができる。
【００１８】
このようにして、温湯噴き上げ部１０を構成する温湯噴き上げ容器９上の定位置に種籾容器３１を載置した際に、スタートボタン１８を押してその時点を指示し、給湯制御装置３のタイマを始動させる。そして、所定の温湯消毒時間が経過した時点で、走行クレーン３７により温湯タンク２上に種籾容器３１を吊り上げ、隣の冷却槽４１の上に移動させ、種籾容器３１を冷却槽４１に貯留した冷水に浸けて種籾を急速に冷却する。このように種籾の冷却を終えたならば、走行クレーン３７により冷却槽４１の上に種籾容器３１を吊り上げ、隣の作業スペース４２に降ろしたうえ搬出する。
【００１９】
走行クレーン３７の自走体３９を、タイマに設定した温湯消毒時間の経過時に自動的に上昇するように構成しておけば、予め設定した温湯消毒時間の経過時に種籾容器３１を走行クレーン３７により自動的に温湯タンク２の上方に引き上げて、温湯消毒を的確に施すことができる。さらに、走行クレーン３７の自走体３９を、温湯タンクの上方に引き上げた時点で種籾容器３１を上下に、さらに横揺すりを加えて揺する動作をするように構成しておけば、種籾容器３１を温湯から上げた際にそれに湯切りを直ちに施すことができる。
【００２０】
図示の実施の形態では、温湯噴き上げ部１０を構成する温湯噴き上げ容器９上の定位置に種籾容器３１を載置した時点は、スタートボタン１８を押して指示するが、種籾容器３１を温湯噴き上げ部１０の温湯噴き上げ容器９上の定位置に案内する案内部３３に、種籾容器３１のセンサを備えて、種籾容器３１の載置時点を感知するように構成することもできる。
【００２１】
図４に示す種籾の温湯消毒システムにおいては、上記のように走行クレーン３７により一連の作業ができるので、作業が容易であり、かつ効率的である。
【００２２】
給湯制御装置３は、前記のように、スタートボタン１８、リセットボタン１９が設けられており、図示しないが、温湯消毒時間を設定するタイマと、それにより鳴動する警報ブザー等を備えているものである。給湯制御装置３における温度の設定範囲は５０．０〜６５．０℃で、保護上限温度は６７．０℃である。また、温湯タンク２には一定の水位を保つためのオーバーフロー４２を設けてある。このオーバーフロー４３により、温度調整温湯の注入にともなって温湯タンク２内の温湯の入れ替えがなされるので、温湯の汚れを少なくして種籾の温湯消毒効果の向上が図られることになる。
【００２３】
前記のように、所定の温湯消毒温度は５０℃〜６５℃の範囲内、種籾の温湯への浸漬時間は５分〜２０分の範囲内でそれぞれ特定値に設定するが、温湯消毒温度が低いときは消毒時間を長く、かつ温度が高いときは消毒時間を短く設定する。ちなみに、各種試験データからその一例を示せば、温湯消毒温度が５８℃では消毒時間が１５分〜２０分、６０℃では１０分〜１５分、６２℃では５〜１０分とするのが好ましい。
【００２４】
なお、温湯タンク２および給湯制御装置３を、種籾を温湯に浸して発芽を促す催芽にも使用する場合には、温湯制御温度を０〜３５℃または０〜５０℃の温度設定範囲、保護上限温度３７℃または５２℃の機能を兼ね備えたものとする。
【００２５】
【発明の効果】
本発明によれば、温湯噴き上げ部の周囲に、上方から降ろす種籾容器を温湯噴き上げ部上の定位置に案内する案内部を設けたことにより、温湯タンク内の温湯噴き出し部に種籾容器を載せる際には、温湯噴き出し部に対する種籾容器の位置合わせを概略的に行うだけで、温湯噴き出し部上の定位置に種籾容器を載せることができ、特に種籾容器の上げ下ろしに走行クレーンを用いる場合に、温湯噴き上げ部に対する種籾容器の載置操作を容易かつ的確にできる効果を奏するものである。
【図面の簡単な説明】
【図１】  本発明の一実施の形態に係る種籾の温湯消毒装置の一部を破断して示す斜視図である。
【図２】  同上縦断側面図である。
【図３】  同上平面図である。
【図４】  図１に示す種籾の温湯消毒装置による種籾の消毒システムを例示する斜視図である。
【符号の説明】
１  種籾の温湯消毒装置
２  温湯タンク
３  給湯制御装置
４  温湯循環口
５  スノコ
６  温湯流下室
７  温湯貯留室
８  温湯噴出孔
９  温湯噴き上げ容器
１０  温湯噴き上げ部
１１  給湯器
１２  温湯送出口
１３  温湯送出管
１４  モータポンプ
１５  温湯戻し管
１６  温湯吸入管
１７  温湯制御器
１８  スタートボタン
１９  リセットボタン
２０  操作器
２１  スタートボタン
２２  リセットボタン
２３  ガス給湯器
２４  給湯管
２５  手動式バルブ
２６  分岐管
２７  電磁弁
２８  ガスボンベ
２９  給水管
３０  排気管
３１  種籾容器
３２  吊りアーム
３３  案内部
３４  起立体
３５  誘導部
３６  囲み枠
３７  走行クレーン
３８  ガイドレール
３９  自走体
４０  吊り下げフック
４１  種籾の冷却槽
４２  作業スペース
４３  オーバーフロー
【図１】
0004046317.tif 000002
【図２】
0004046317.tif 000003
【図３】
0004046317.tif 000004
【図４】
0004046317.tif 000005